(57)【要約】【課題】簡単な操作によって精度良く付属部品を電子機器に着脱可能に外付けできる係合爪および係合溝からなる取付構造を提案すること。【解決手段】オプションボックス付きプリンター１では、プリンター本体２の板金製の底板１０にオプションボックス２０が取り外し可能に取り付けられている。底板１０に形成した係合爪１１〜１４は、オプションボックス２０の板金製の蓋板２２に形成した係合溝３１〜３４における広幅の爪差し込み用溝部分３１ａ〜３４ａに差し込めばよいので、正確な位置合わせが不要であり、寸法誤差があっても係合爪を変形させることなく簡単に差し込むことができる。係合爪１１〜１４を溝幅が漸減する爪ガイド用溝部分３１ｂ、３４ｂを介して最も狭い溝幅の爪位置決め用溝部分３１ｃ〜３４ｃまでスライドさせればよいので、幅方向の位置決めが自動的に形成され、スライド操作も小さな力で簡単に行うことができる。【選択図】図４
2010194991.tif 000002
【特許請求の範囲】
【請求項１】
少なくとも一対の係合爪を備えた爪形成部材と、
前記係合爪を差し込み可能な少なくとも一対の係合溝を備えた溝形成部材とを有し、
電子機器および当該電子機器に取り付けられる付属部品のいずれか一方の側に前記爪形成部材が取り付けられ、他方の側に前記溝形成部材が取り付けられており、
前記一対の係合爪は所定間隔で相互に平行に延びる一定厚さの爪であり、
前記一対の係合溝のそれぞれは、それらの長さ方向に沿って、前記係合爪が差し込まれる一定溝幅の爪差し込み用溝部分と、この爪差し込み用溝部分に連続して溝幅が漸減している爪ガイド用溝部分と、この爪ガイド用溝部分に連続して溝幅が最も狭い爪位置決め用溝部分とを備えており、
前記一対の係合溝における前記爪差し込み用溝部分の内側縁端の間隔は、前記一対の係合爪における内側側面の間隔よりも狭く、
前記一対の係合溝における前記爪差し込み用溝部分の外側縁端の間隔は、前記一対の係合爪における外側側面の間隔よりも広く、
各係合爪を各係合溝の前記爪差し込み用溝部分に差し込み、各係合爪を各係合溝に沿ってスライドさせると、各係合爪の前記係合溝の溝幅方向の位置が前記爪位置決め用溝部分によって規定されると共に、各係合爪の先端部分が各係合溝の縁端部分に対して前記差し込み方向とは反対側から係合した係合状態が形成されることを特徴とする電子機器の付属部品取付構造。
【請求項２】
前記係合溝は、前記爪位置決め用溝部分に連続して溝幅が広がっている広幅溝部分を備えていることを特徴とする請求項１に記載の電子機器の付属部品取付構造。
【請求項３】
前記係合溝における長さ方向に延びている一方の溝側面は直線状側面であり、
当該係合溝における前記直線状側面に対峙している他方の溝側面は、当該直線状側面に平行に延びて前記爪差し込み用溝部分を規定している平行側面部分と、これに連続して前記直線状側面に接近する方向に傾斜する方向に延びて前記爪ガイド用溝部分を規定している傾斜側面部分と、これに連続して前記直線状側面から後退する方向に延びて前記広幅溝部分を規定している後退側面部分とを備えており、
前記傾斜側面部分における前記後退側面部分に繋がっている端部分によって前記爪位置決め用溝部分が規定されており、
前記一対の係合溝は左右対称の状態に形成されていることを特徴とする請求項２に記載の電子機器の付属部品取付構造。
【請求項４】
前記溝形成部材における前記係合溝の長さ方向の両側には溝側当接部が形成されており、
前記爪形成部材における前記係合爪の長さ方向の両側には、前記係合爪を前記係合溝に差し込むと前記溝側当接部に当接する爪側当接部が形成されていることを特徴とする請求項１ないし３のうちのいずれかの項に記載の電子機器の付属部品取付構造。
【請求項５】
前記係合爪の先端部分が前記差し込み方向とは反対側から係合する前記係合溝の前記縁端部分は平坦な係合面であり、
前記係合爪の前記先端部分は、前記係合面に向けて突出している凸状の輪郭形状をしていることを特徴とする請求項１ないし４のうちのいずれかの項に記載の電子機器の付属部品取付構造。
【請求項６】
請求項１ないし５のうちのいずれかの項に記載の付属部品取付構造によって付属部品が取り付けられる電子機器であって、
前記係合爪が形成された前記爪形成部材および前記係合溝が形成された前記溝形成部材のうちの一方の部材を備えていることを特徴とする電子機器。
【請求項７】
請求項１ないし５のうちのいずれかの項に記載の付属部品取付構造によって電子機器に取り付けられる電子機器の付属部品であって、
前記係合爪が形成された前記爪形成部材および前記係合溝が形成された前記溝形成部材のうちの一方の部材を備えていることを特徴とする電子機器の付属部品。
【請求項８】
フィスカルメモリーが内蔵されているオプションボックス付きプリンターであって、
前記オプションボックスが請求項１ないし５のうちのいずれかの項に記載の付属品取付構造によってプリンター本体側に取り付けられていることを特徴とするオプションボックス付きプリンター。
【発明の詳細な説明】
【技術分野】
【０００１】
本発明は、プリンターなどの電子機器に各種の付属部品を着脱可能に取り付けるための付属部品取付構造の改良に関する。
【背景技術】
【０００２】
ＰＯＳシステムなどに使用されるプリンターにおいては、入出金情報を含む取引情報をフィスカルメモリーと呼ばれるメモリーに記憶保持し、権限を有する者のみがフィスカルメモリーを取り外して確認できるようになっているフィスカルプリンターが知られている（特許文献１参照）。フィスカルプリンターでは、内蔵のフィスカルメモリーが不正に取り外されないように、オプションボックスと呼ばれる付属部品がプリンターケースに着脱可能に取り付けられ、不正に取り外されないように封印されている。封印構造としては例えば特許文献２に開示されている構造のものが用いられる。
【０００３】
ここで、フィスカルプリンターにおいて、そのプリンターケースにオプションボックスを取り付けるための取付構造として、例えばプリンターケースの側に形成した係合爪をオプションボックスの側に形成した係合溝に差し込み、係合爪を係合溝に沿ってスライドさせて係合状態を形成するものが知られている。一般的には、強度などの関係で、プリンターケースに取り付けた板金部材の一部を切り起こして係合爪が形成され、オプションボックスに取り付けた板金部材の一部を切り取ることにより係合溝が形成される。
【０００４】
例えば、図８に示すように、プリンター本体１００の底面に取り付けた矩形の板金部材１１０における両側の縁部分に裏面側に折り曲げた４枚の係合爪１１１〜１１４が形成される。また、板金部材１１０の裏面側に取り付けられるオプションボックス１２０の上面に取り付けた矩形の板金部材１３０における両側の縁部分には係合爪１１１〜１１４を上側から差し込み可能な一定幅の係合溝１３１〜１３４が形成される。係合爪１１１〜１１４を各係合溝１３１〜１３４の上側から位置決めして、これらの係合溝１３１〜１３４に差し込み、これらの長さ方向にスライドさせると、係合爪１１１〜１１４の先端部分１１１ａ〜１１４ａが係合溝１３１〜１３４の縁端部分の裏面側に嵌り込み、差し込み方向には外すことのできない係合状態が形成される。
【先行技術文献】
【特許文献】
【０００５】
【特許文献１】特開２００８−４６９５４号公報
【特許文献２】実開昭６２−８７３７１号公報
【発明の概要】
【発明が解決しようとする課題】
【０００６】
ここで、このような係合爪および係合溝からなる付属部品取付構造では、各係合爪１１１〜１１４の先端部分１１１ａ〜１１４ａの落ち込み深さ、すなわち、図８に示すように、板金部材１１０の裏面から先端部分１１１ａ〜１１４ａの上端面までの隙間寸法Ａと、オプションボックス１２０の側の板金部材１３０における係合溝１３１〜１３４の縁端部分の板厚Ｂとの間の寸法誤差、左右の係合爪と左右の係合溝の間の寸法誤差、例えば前側の係合爪１１１、１１２の間隔Ｃと左右の係合溝１３１、１３２の間隔Ｄの寸法誤差は、取付時における板金部材１１０、１３０の変形によって吸収しなければならない。
【０００７】
このため、係合爪を係合溝に差し込む際には、寸法誤差を吸収するために板金部材を同時に四か所で変形させる力を加える必要がある。また、係合溝に差し込んだ係合爪をスライドさせる際には、４枚の係合爪を変形させながら、係合溝の側面との間に発生する摩擦力に逆らって係合爪をスライドさせる力が必要である。さらに、係合状態においては、各係合爪と各係合溝の縁端部分の係合部分の変形状態が異なり、付属部品の組み付け精度が劣化する可能性もある。
【０００８】
このような弊害を回避するためには、精度良く係合爪および係合溝を形成すればよいが、別個の部材に係合爪および係合溝を精度良く形成することは一般に困難であり、特に、板金加工においては誤差が発生しやすい。また、誤差を見込んで、係合溝を全体として広幅としておくことも考えられるが、このようにすると取付状態においてガタつきが発生してしまうので好ましくない。
【０００９】
本発明の課題は、このような点に鑑みて、係合爪および係合溝に寸法誤差がある場合においても係合溝に対する係合爪の差し込み操作、差し込み後の係合爪のスライド操作を簡単に行うことができ、しかも、ガタつき無く精度の良い取付状態を形成可能な電子機器の付属部品取付構造を提案することにある。
【課題を解決するための手段】
【００１０】
上記の課題を解決するために、本発明の電子機器の付属部品取付構造は、
少なくとも一対の係合爪を備えた爪形成部材と、
前記係合爪を差し込み可能な少なくとも一対の係合溝を備えた溝形成部材とを有し、
電子機器および当該電子機器に取り付けられる付属部品のいずれか一方の側に前記爪形成部材が取り付けられ、他方の側に前記溝形成部材が取り付けられており、
前記一対の係合爪は所定間隔で相互に平行に延びる一定厚さの爪であり、
前記一対の係合溝のそれぞれは、それらの長さ方向に沿って、前記係合爪が差し込まれる一定溝幅の爪差し込み用溝部分と、この爪差し込み用溝部分に連続して溝幅が漸減している爪ガイド用溝部分と、この爪ガイド用溝部分に連続して溝幅が最も狭い爪位置決め用溝部分とを備えており、
前記一対の係合溝における前記爪差し込み用溝部分の内側の縁端の間隔は、前記一対の係合爪における内側側面の間隔よりも狭く、
前記一対の係合溝における前記爪差し込み用溝部分の外側の縁端の間隔は、前記一対の係合爪における外側側面の間隔よりも広く、
各係合爪を各係合溝の前記爪差し込み用溝部分に差し込み、各係合爪を各係合溝に沿ってスライドさせると、各係合爪の前記係合溝の溝幅方向の位置が前記爪位置決め用溝部分によって規定されると共に、各係合爪の先端部分が各係合溝の縁端部分に対して前記差し込み方向とは反対側から係合した係合状態が形成されることを特徴としている。
【００１１】
本発明の付属部品取付構造では、各係合溝に爪差し込み用溝部分が形成されており、この爪差し込み用溝部分の溝幅を係合爪の厚さよりも十分に広くしておけば、係合爪の間隔に寸法誤差がある場合においても、双方の係合爪を変形させることなく簡単に対応する係合溝に差し込むことができる。
【００１２】
また、溝幅の広い爪差し込み用溝部分に差し込んだ後に係合爪をスライドさせると、係合溝は溝幅が漸減する爪ガイド用溝部分に沿って徐々に溝幅方向に位置決めされる。したがって、スライド時に必要な操作力が少なくて済み、スライド操作も簡単に行うことができる。係合爪が最も溝幅の狭い爪位置決め用溝部分までスライドすると、当該爪位置決め用溝部分によって係合爪は溝幅方向に位置決めされた状態になる。この爪位置決め用溝部分によって、係合爪は溝幅方向にガタ付くことなく精度良く溝幅方向に位置決めされた係合状態になる。
【００１３】
本発明において、前記係合溝は、前記爪位置決め用溝部分に連続して溝幅が広がっている広幅溝部分を備えていることが望ましい。広幅溝部分まで係合爪をスライドさせることにより、爪位置決め用溝部分が係合爪の側面部分に確実に係合した状態となり、これによって、係合爪の溝幅方向の位置決めが確実に行われ、そのガタ付きも防止される。
【００１４】
また、本発明において、各係合溝の溝形状を次のようにすることができる。すなわち、
前記係合溝における長さ方向に延びている一方の溝側面を直線状側面とする。当該係合溝における前記直線状側面に対峙している他方の溝側面を、当該直線状側面に平行に延びて前記爪差し込み用溝部分を規定している平行側面部分と、これに連続して前記直線状側面に接近する方向に傾斜する方向に延びて前記爪ガイド用溝部分を規定している傾斜側面部分と、これに連続して前記直線状側面から後退する方向に延びて前記広幅溝部分を規定している後退側面部分とを備えた形状と、前記傾斜側面部分における前記後退側面部分に繋がっている端部分によって前記爪位置決め用溝部分を規定する。この場合には、この溝形状の前記一対の係合溝を左右対称の状態に形成しておくことが望ましい。
【００１５】
次に、本発明において、係合爪の差し込み方向の位置決めを確実に行うためには、前記溝形成部材における前記係合溝の長さ方向の両側に溝側当接面を形成し、前記爪形成部材における前記係合爪の長さ方向の両側には、前記係合爪を前記係合溝に差し込むと前記溝側当接面に当接する爪側当接面を形成しておくことが望ましい。
【００１６】
係合爪を係合溝に差し込んだ状態において、爪形成部材が溝形成部材に全体的に面接触すると、これらの面の歪みなどによって係合爪の差し込み方向の位置にばらつきが発生してしまう。本発明では、部分的に形成した溝側当接面および爪側当接面のみを精度良く形成しておけばよく、また、このようにすることは比較的容易であるので、係合爪の差し込み方向の位置を精度良く規定することができる。また、差し込み方向の側からは、係合溝の両側位置において爪側当接面が溝形成部材に押し付けられ、差し込み方向の反対側からは、係合爪の先端部分が溝形成部材に押し付けられた状態が形成される。よって、爪形成部材と溝形成部材とは差し込み方向にガタ付き無く組み付けられた状態になる。
【００１７】
ここで、前記係合爪の先端部分が前記差し込み方向とは反対側から係合する前記係合溝の前記縁端部分を平坦な係合面とし、前記係合爪の前記先端部分を、前記係合面に向けて突出している凸状の輪郭形状にしておくことが望ましい。
【００１８】
次に、本発明は、上記構成の付属部品取付構造によって付属部品が取り付けられる電子機器であって、前記係合爪が形成された前記爪形成部材および前記係合溝が形成された前記溝形成部材のうちの一方の部材を備えていることを特徴としている。
【００１９】
また、本発明は、上記構成の付属部品取付構造によって電子機器に取り付けられる電子機器の付属部品であって、前記係合爪が形成された前記爪形成部材および前記係合溝が形成された前記溝形成部材のうちの一方の部材を備えていることを特徴としている。
【００２０】
一方、本発明の付属部品取付構造は、フィスカルメモリーが内蔵されているオプションボックス付きプリンターにおいて、オプションボックスをプリンター本体側に取り付けるために取付構造として用いることができる。
【発明の効果】
【００２１】
本発明の電子機器の付属部品取付構造においては、係合爪を係合溝の広幅の爪差し込み用溝部分に差し込み、係合溝に沿ってスライドさせながら溝幅方向の位置決めを徐々に行って、溝幅が最も狭い爪位置決め用溝部分によって係合爪を精度良く溝幅方向に位置決めした係合状態を形成するようにしている。したがって、板金製の爪形成部材、溝形成部材を用いる場合において、係合爪、係合溝に寸法誤差があっても、係合爪を係合溝に差し込んでスライドさせて係合させる操作を小さな力で簡単に行うことができ、また、ガタ付きの無い精度の良い係合状態を形成できる。
【図面の簡単な説明】
【００２２】
【図１】本発明によるオプションボックス付きプリンターの外観斜視図である。
【図２】図１のプリンターを底面側から見た場合の外観斜視図である。
【図３】図２において封印機構を分解した状態で示すプリンターの外観斜視図である。
【図４】オプションボックス取付構造を示す斜視図である。
【図５】オプションボックス取付構造を示す平面図および側面図である。
【図６】係合爪および係合溝を示す説明図である。
【図７】オプションボックスの取付操作を示す説明図である。
【図８】一般的な係合爪、係合溝からなる取付構造を示す説明図である。
【発明を実施するための形態】
【００２３】
以下に、図面を参照して本発明を適用した電子機器の付属部品取付構造の実施の形態を説明する。
【００２４】
（全体構成）
図１は本実施の形態に係るオプションボックス付きプリンターを示す外観斜視図であり、図２は当該プリンターを底面側から見た場合の外観斜視図である。オプションボックス付きプリンター１は、プリンター本体２と、このプリンター本体２の底面に、後述の取付構造によって着脱可能に取り付けたオプションボックス２０とを備えている。プリンター本体２は、その底面部分を除き、プラスチック製のプリンターケース３によって覆われており、底面部分は板金製の底板１０によって規定されている。底板１０には、オプションボックス２０が着脱可能に取り付けられている。
【００２５】
オプションボックス２０の内部には、電源用のＡＣアダプター（図示せず）が収納されている。オプションボックス２０は、全体として一定厚さの偏平な直方体形状をしており、上側が開口し底部２１ａと側壁部２１ｂとが一体に形成されたプラスチック製の枠状ケース２１と、この上側開口を封鎖する板金製の蓋板２２（図４、図５参照）とを備えている。プリンター１は、フィスカル対応の仕様であり、プリンター本体２側には、フィスカル制御用のＩＣチップおよびフィスカル情報を記憶保持するためのフィスカルメモリーチップ（いずれも図示せず）が搭載されている。そして、オプションボックス２０をプリンター本体２より取り外さないとフィスカルメモリーチップにアクセスできない構造となっている。
【００２６】
プリンター本体２およびオプションボックス２０の後面側の部位には内側に切り込まれた矩形の凹部４が形成されている。この凹部４の内部には封印機構５が取り付けられており、フィスカルメモリーチップの改ざんを予防のためにオプションボックス２０が不正に取り外されることを防止すると共に、不正に取り外されたことが確認できるようになっている。
【００２７】
（封印機構）
図３は、図２と同じく、オプションボックス付きプリンター１を底面側から見た外観斜視図であり、封印機構５の構成部品を分解した状態で示してある。図３を参照して説明すると、封印機構５は、オプションボックス２０の枠状ケース２１の後端の背面壁２１ｃに形成した取付け部５１を備えており、この取付け部５１には一対のリブ５２が立設されている。この取付け部５１には板金製の封印部材取付板５３がリブ５２に案内されてプリンター後側から装着されている。
【００２８】
背面壁２１ｃの前側には、取付けられたプリンター本体２の側の底板１０から延出している連結部（図示せず）が当接している。この連結部にはナットが固定されている。取付け部５１、封印部材取付板５３の中心にはボルト穴が形成されており、これらを通してプリンター後側から締結ボルト５４と底板１０から延出している連結部のナットとが締結することにより一体に締結固定されて、プリンター本体２にオプションボックス２０が固定されている。
【００２９】
封印部材取付板５３の左右の縁にはプリンター後方に突出した突出片５３ａ、５３ｂが形成されている。この封印部材取付板５３には、プリンター後側からカバー金具５５が被せられて締結ボルト５４が覆い隠されている。図２に示すように、封印部材取付板５３の突出片５３ａ、５３ｂのみが、カバー金具５５を貫通してプリンター後方に突出している。突出片５３ａ、５３ｂの先端部分には封印部材（図示せず）を架け渡すための貫通穴が形成されており、これらの貫通穴に、封印部材を構成しているワイヤーなどのループ状の金具が架け渡され、カバー金具５５の取り外しが出来ないようになっている。
【００３０】
オプションボックス２０をプリンター本体２の底面から外す場合には、封印部材を切断して、カバー金具５５を取り外す。これにより、締結ボルト５４の頭部が露出するので、締結ボルト５４を工具を用いて緩めて外すことができる。締結ボルト５４を外すと、オプションボックス２０は以下に説明する着脱式の取付構造によってプリンター本体２の底面に取り付けられているので、当該オプションボックス２０を取り外すことが可能になる。
【００３１】
（オプションボックス取付構造）
次に、図４は、プリンター本体２にオプションボックス２０を着脱可能な状態で取り付ける取付構造を構成している底板１０および蓋板２２を示す斜視図である。図５（ａ）および（ｂ）は、これら底板１０および蓋板２２が組み付けられた状態を示す平面図および側面図である。また、図６（ａ）および（ｂ）は係合爪および係合溝を示す説明図である。
【００３２】
まず、図４および図５を参照して説明すると、プリンター本体２の板金製の底板１０（爪形成部材）の両側の縁部分には、それらの前後にそれぞれ一対の前側係合爪１１、１２および後側係合爪１３、１４が形成されている。これらの係合爪１１〜１４は底板１０の左右の縁から裏面側に直角に折れ曲がって延びている。これに対して、オプションボックス２０の板金製の蓋板２２（溝形成部材）は、その両側の縁から裏面側に直角に折り曲げられた一定幅の垂直側板２２ａ、２２ｂを備えており、これらの両側の縁に沿って前後にそれぞれ一対の前側係合溝３１、３２および後側係合溝３３、３４が形成されている。
【００３３】
係合溝３１〜３４は係合爪１１〜１４のそれぞれに対応した位置に形成されており、各係合爪１１〜１４を対応する係合溝３１〜３４の上方において位置決めして、これらの係合溝３１〜３４に差し込み、しかる後に係合爪１１〜１４を係合溝３１〜３４の長さ方向（本例ではプリンター前後方向）にスライドすると、各係合爪１１〜１４の先端部分１１ａ〜１４ａ（プリンター後側に突出している部分）が、蓋板２２における係合溝３１〜３４のプリンター後方側の縁端部分を規定している部分の裏面側（係合面）に入り込み、上下方向に外すことのできない係合状態が形成されるようになっている。
【００３４】
次に、図４および図５を参照して、底板１０の係合爪１１〜１４について詳しく説明する。まず、一対の前側係合爪１１、１２は、左右対称な形状をした一定厚さの爪であり、一定の間隔でプリンター前後方向に平行に延びている。
【００３５】
本例では、底板１０の両側の縁部分が前後の部分において裏面側に一定幅で直角に折り曲げられて、一対の前側垂直側板１５、１６および一対の後側垂直側板１７、１８が形成されている。前側垂直側板１５、１６における前側の部分には一定幅で下方に突出している係合爪１１、１２が一体形成されている。各係合爪１１、１２は、垂直側板１５、１６から下方に一定幅で突出した後にプリンター後方側にＬ状に突出しており、突出部分が係合用の先端部分１１ａ、１２ａとなっている。先端部分１１ａ、１２ａにおける上端面部分１１ｂ、１２ｂは上方に突出した山形輪郭をしている。
【００３６】
前側垂直側板１５、１６の下端面は全体として前後方向に延びる水平な平坦面であるが、係合爪１１、１２の前後には、下方に僅かに突出した一定長さの水平な前側当接面１５ａ、１６ａ（爪側当接面）および後側当接面１５ｂ、１６ｂ（爪側当接面）が形成されている。後側当接面１５ｂ、１６ｂは、係合爪１１、１２の先端部分１１ａ、１２ａよりも後側にオフセットした位置に形成されている。
【００３７】
一対の後側係合爪１３、１４は、前後方向の長さが前側係合爪１１、１２よりも長い以外は前側係合爪１１、１２と同様であり、左右対称な形状をした一定厚さの爪であり、一定の間隔でプリンター前後方向に平行に延びている。また、各後側係合爪１３、１４は、後側垂直側板１７、１８から下方に一定幅で突出した後にプリンター後方側にＬ状に突出しており、突出部分が係合用の先端部分１３ａ、１４ａとなっている。先端部分１３ａ、１４ａにおける上端面部分１３ｂ、１４ｂは上方に突出した山形輪郭をしている。
【００３８】
後側垂直側板１７、１８の下端面においても、前側垂直側板１５、１６の場合と同様に、後側係合爪１３、１４の前後に、下方に僅かに突出した一定長さの水平な前側当接面１７ａ、１８ａおよび後側当接面１７ｂ、１８ｂが形成されており、後側当接面１７ｂ、１８ｂは、後側係合爪１３、１４の先端部分１３ａ、１４ａよりも後側にオフセットした位置に形成されている。
【００３９】
次に、図４、図５および図６を参照して、オプションボックス２０の蓋板２２に形成した前側係合溝３１、３２および後側係合溝３３、３４について説明する。一対の前側係合溝３１、３２は、それらの長さ方向に沿って、プリンター前側から後側に向けて、前側係合爪１１、１２が差し込まれる一定溝幅の爪差し込み用溝部分３１ａ、３２ａと、この爪差し込み用溝部分３１ａ、３２ａに連続して溝幅が漸減している爪ガイド用溝部分３１ｂ、３２ｂと、この爪ガイド用溝部分３１ｂ、３２ｂに連続して溝幅が最も狭い爪位置決め用溝部分３１ｃ、３２ｃと、これに連続して再び溝幅が広がっている広幅溝部分３１ｄ、３２ｄとを備えた形状となっている。爪差し込み用溝部分３１ａ、３２ａは、前側係合爪１１、１２の厚さに比べて十分に広い溝幅の部分であり、前側係合爪１１、１２を差し込み可能な長さ寸法となっている。これに対して、爪位置決め用溝部分３１ｃ、３２ｃは、前側係合爪１１、１２の厚さとほぼ同様な溝幅の狭い部分である。
【００４０】
ここで、前側係合溝３１、３２が形成されている蓋板２２においては、その両側の縁部分が裏面側に直角に折り曲げられて、一定幅の垂直側板２２ａ、２２ｂが形成されている。これらの垂直側板２２ａ、２２ｂにおけるプリンター前後方向に直線状に延びている内側の平坦な垂直側面２２ｃ、２２ｄによって、前側係合溝３１、３２の外側の溝側面が規定されている。前側係合溝３１、３２における反対側の溝側面は、垂直側面２２ｃ、２２ｄに対して一定の間隔で平行に延びて爪差し込み用溝部分３１ａ、３２ａを規定している平行側面部分３１Ａ、３２Ａと、これらに連続して垂直側面２２ｃ、２２ｄに接近する方向に傾斜する方向に延びて爪ガイド用溝部分３１ｂ、３２ｂを規定している傾斜側面部分３１Ｂ、３２Ｂと、これらに連続して垂直側面２２ｃ、２２ｄから離れる方向に延びて広幅溝部分３１ｄ、３２ｄを規定している後退側面部分３１Ｄ、３２Ｄとを備えた輪郭形状となっている。傾斜側面部分３１Ｂ、３２Ｂにおける後退側面部分３１Ｄ、３２Ｄに繋がっている端部分３１Ｃ、３２Ｃによって爪位置決め用溝部分３１ｃ、３２ｃが規定されている。
【００４１】
後側係合溝３３、３４も同様に形成されており、それらの長さ方向に沿って、プリンター前側から後側に向けて、後側係合爪１３、１４が差し込まれる一定溝幅の爪差し込み用溝部分３３ａ、３４ａと、この爪差し込み用溝部分３３ａ、３４ａに連続して溝幅が漸減している爪ガイド用溝部分３３ｂ、３４ｂと、この爪ガイド用溝部分３３ｂ、３４ｂに連続して溝幅が最も狭い爪位置決め用溝部分３３ｃ、３４ｃと、これに連続して再び溝幅が広がっている広幅溝部分３３ｄ、３４ｄとを備えた形状となっている。
【００４２】
また、後側係合溝３３、３４においても、それらの外側の溝側面が、垂直側板２２ａ、２２ｂの垂直側面２２ｃ、２２ｄによって規定されている。後側係合溝３３、３４における反対側の溝側面は、垂直側面２２ｃ、２２ｄに対して一定の間隔で平行に延びて爪差し込み用溝部分３３ａ、３４ａを規定している平行側面部分３３Ａ、３４Ａと、これらに連続して垂直側面２２ｃ、２２ｄに接近する方向に傾斜する方向に延びて爪ガイド用溝部分３３ｂ、３４ｂを規定している傾斜側面部分３３Ｂ、３４Ｂと、これらに連続して垂直側面２２ｃ、２２ｄから離れる方向に延びて広幅溝部分３３ｄ、３４ｄを規定している後退側面部分３３Ｄ、３４Ｄとを備えた輪郭形状となっている。傾斜側面部分３３Ｂ、３４Ｂにおける後退側面部分３３Ｄ、３４Ｄに繋がっている端部分３３Ｃ、３４Ｃによって爪位置決め用溝部分３３ｃ、３４ｃが規定されている。
【００４３】
ここで、図５に示すように、前側係合爪１１、１２および後側係合爪１３、１４における内側側面の間隔をＤ１、それらの外側側面の間隔をＥ１とすると、前側係合溝３１、３２および後側係合溝３３、３４における平行側面部分３１Ａ、３２Ａおよび３３Ａ、３４Ａの間隔ＤはＤ１よりも狭い寸法に設定されており、それらの外側の溝側面である垂直側面２２ｃ、２２ｄの間隔ＥはＥ１よりも広い間隔に設定されている。また、最も幅の狭い爪位置決め用溝部分３１ｃ〜３４ｃを規定している端部分３１Ｃ、３２Ｃおよび３３Ｃ、３４Ｃの間隔は、前側係合爪１１、１２の内側側面の間隔Ｄと同一となるように設定されている。
【００４４】
（オプションボックスの取付操作）
図７（ａ）および（ｂ）は、係合爪１２を係合溝３２に差し込んだ状態を示す部分側面図およびａ−ａで切断した部分を示す部分断面図であり、図７（ｃ）および（ｄ）は、係合爪１２を係合溝３２に沿ってスライドさせた後の係合状態を示す側面図およびｃ−ｃ線で切断した部分を示す部分断面図である。主に図７を参照して、プリンター本体２の底面にオプションボックス１０を取り付ける操作を説明する。
【００４５】
まず、プリンター本体２の底板１０に形成されている各係合爪１１〜１４を、オプションボックス２０の蓋板２２に形成されている各係合溝３１〜３４に対して上方から位置決めし（図４参照）、各係合爪１１〜１４を各係合溝３１〜３４の広幅の爪差し込み用溝部分３１ａ〜３４ａに差し込む。爪差し込み用溝部分３１ａ〜３４ａは係合爪１１〜１４の厚さに比べて十分に広いので、双方に位置誤差あるいは寸法誤差があっても小さな力で簡単に係合爪１１〜１４を係合溝３１〜３４に差し込むことができる。また、係合爪１１〜１４と係合溝３１〜３４との正確な位置合わせも不要になるので簡単に差し込み操作を行うことができる。
【００４６】
図７（ａ）、（ｂ）に示すように、係合爪１１〜１４を係合溝３１〜３４に差し込むと、これらの前後に形成されている前側当接面１５ａ〜１８ａおよび後側当接面１５ｂ〜１８ｂが、蓋板２２の平坦な上面における係合溝３１〜３４の前後の縁部分２２ｅ、２２ｆ（溝側当接面）に当接する。これにより、係合爪１１〜１４の差し込み方向の位置決めがなされる。
【００４７】
この後は、係合爪１１〜１４を係合溝３１〜３４に沿ってプリンター後方に向けてスライドさせる。換言すると、プリンター本体２をオプションボックス２０に対して相対的に後方にスライドさせる。係合爪１１〜１４は係合溝３１〜３４の爪ガイド用溝部分３１ｂ〜３４ｂによって溝幅方向（プリンター幅方向）に徐々にガイドされながら後方にスライドする。したがって、係合爪１１〜１４、係合溝３１〜３４に位置誤差、寸法誤差があったとしても、係合爪１１〜１４がスライドに伴って徐々に変形していく。また、スライド時における係合爪１１〜１４と係合溝３１〜３４の両側の溝側面との間の摩擦力も小さいので、スライドさせるために大きな力を必要とせずに、簡単にスライドさせることができる。
【００４８】
さらに、係合爪１１〜１４の側の底板１０は、その両側に形成した前側当接面１５ａ〜１８ａおよび後側当接面１５ｂ〜１８ｂが係合溝３１〜３４の側の平坦な縁部分２２ｅ、２２ｆをスライドする。底板１０と蓋板２２は、これら以外の部位が相互に摺動することがない。よって、スライド時の摩擦力を低減でき、スライド操作を簡単に行うことができる。
【００４９】
このようにして、係合爪１１〜１４を係合溝３１〜３４の後側の縁端に当たるまでスライドさせると、図７（ｃ）、（ｄ）に示すように、係合爪１１〜１４の先端部分１１ａ〜１４ａが下側から、蓋板２２における係合溝３１〜３４の縁端部分の裏面（係合面）２２ｇに係合した係合状態が形成される。この係合状態では、係合爪１１〜１４の内側側面に対して内側から係合溝３１〜３４の内側の溝側面における端部分が当接して、係合爪１１〜１４の幅方向の位置決めがなされた状態になる。
【００５０】
また、蓋板２２の上側から前側当接面１５ａ〜１８ａおよび後側当接面１５ｂ〜１８ｂが当接し、その下側から係合爪１１〜１４の先端部分１１ａ〜１４ａが当接し、これらの３点によって、プリンター上下方向、すなわち、係合爪差し込み方向の位置決めがなされた状態が形成される。したがって、係合爪１１〜１４は上下左右方向にガタつきなく精度良く位置決めされた取付状態が形成される。また、係合爪１１〜１４を係合溝３１〜３４に差し込む際およびスライドさせる際に、係合爪の側の部分および係合溝の側の部分に無理な力が作用しないので、これらの部分に無理な変形が生じた状態で組み付けられて組付け精度が低下してしまう、という弊害も回避できる。
【００５１】
なお、このようにしてオプションボックス２０を取り付けた後は、封印機構５によってオプションボックス２０が取り外されないようにプリンター本体２に固定されて封印される。
【００５２】
（その他の実施の形態）
上記の実施の形態は本発明の取付構造をオプションボックス付きプリンターに適用した例であるが、本発明の取付構造は、オプションボックス以外の付属部品をプリンターに外付けする場合の取付構造としても用いることができる。また、プリンター以外の電子機器に付属部品を取り付けるための取付構造として採用することも可能である。
【符号の説明】
【００５３】
１  オプションボックス付きプリンター、２  プリンター本体、３  プリンターケース、４  凹部、５  封印機構、１０  底板、１１〜１４  係合爪、１１ａ〜１４ａ  先端部分、１１ｂ〜１４ｂ  上端面部分、１５，１６  前側垂直側板、１７，１８  後側垂直側板、１５ａ〜１８ａ  前側当接面、１５ｂ〜１８ｂ  後側当接面、２０  オプションボックス、２１  枠状ケース、２１ａ  底部、２１ｂ  側壁部、２１ｃ  背面壁、２２  蓋板、２２ａ，２２ｂ  垂直側板、２２ｃ，２２ｄ  垂直側面、２２ｅ，２２ｆ  縁部分、２２ｇ  裏面、３１〜３４  係合溝、３１ａ〜３４ａ  爪差し込み用溝部分、３１ｂ〜３４ｂ  爪ガイド用溝部分、３１ｃ〜３４ｃ  爪位置決め用溝部分、３１ｄ〜３４ｄ  広幅溝部分、３１Ａ〜３４Ａ  平行側面部分、３１Ｂ〜３４Ｂ  傾斜側面部分、３１Ｃ〜３４Ｃ  端部分、３１Ｄ〜３４Ｄ  後退側面部分、５１  取付け部、５２  リブ、５３  封印部材取付板、５３ａ，５３ｂ  突出片、５４  締結ボルト、５５  カバー金具
【図１】
2010194991.tif 000003
【図２】
2010194991.tif 000004
【図３】
2010194991.tif 000005
【図４】
2010194991.tif 000006
【図５】
2010194991.tif 000007
【図６】
2010194991.tif 000008
【図７】
2010194991.tif 000009
【図８】
2010194991.tif 000010